(57)【要約】【課題】ベゼルを目立たなくすることができる表示装置を提供する。【解決手段】表示パネルと、前記表示パネルの周縁を覆うベゼル（５）とを備え、前記ベゼル（５）の前面に設けられる電子ペーパー（６）と、表示装置の背後の背景を撮影するカメラとを備え、前記電子ペーパー（６）が、前記カメラの撮影によって得られた静止画像に基づく表示を行う表示装置（１００）。【選択図】図１
2010185927.tif 000002
【特許請求の範囲】
【請求項１】
表示パネルと、前記表示パネルの周縁を覆うベゼルとを備える表示装置において、
前記ベゼルの前面に設けられる電子ペーパーと、
前記表示装置の背後の背景を撮影するカメラとを備え、
前記電子ペーパーが、前記カメラの撮影によって得られた静止画像に基づく表示を行うことを特徴とする表示装置。
【請求項２】
前記カメラを複数台備え、
前記カメラの撮影によって得られた複数の静止画像を合成して合成静止画像を生成し、前記合成静止画像に対してトリミング処理を行い、前記トリミング処理によって抽出された画像を出力する制御部と、
前記制御部から出力された画像に基づいて前記電子ペーパーの表示画像を書き換える電子ペーパー駆動回路とを備える請求項１に記載の表示装置。
【請求項３】
前記トリミング処理のトリミング位置の変更が可能である請求項２に記載の表示装置。
【発明の詳細な説明】
【技術分野】
【０００１】
本発明は、表示パネルと、その表示パネルの周縁を覆うベゼルとを備える表示装置に関する。
【背景技術】
【０００２】
表示パネルと、その表示パネルの周縁を覆うベゼルとを備える表示装置では、外観デザインを良くするためにベゼルの狭額縁化が図られており、製造メーカー各社がベゼルの狭額縁化を競っている状況である。
【先行技術文献】
【特許文献】
【０００３】
【特許文献１】特開２００８−２０３３９９号公報（第１図）
【特許文献２】特開２００７−２７１６５１号公報（段落０００１及び００３３）
【特許文献３】特開２００４−２６７３７４号公報（要約）
【発明の概要】
【発明が解決しようとする課題】
【０００４】
しかしながら、いくらベゼルの狭額縁化を図っても、或る程度の幅のあるベゼルが存在することに変わりは無く、表示パネルの周縁を覆うベゼルが目立ってしまうという問題があった。
【０００５】
なお、特許文献１で提案されている折り畳み扇子型表示装置は、表示画面の周りにある環状枠を目立たなくすることができるものではない。
【０００６】
また、特許文献２で提案されている電子ペーパーから形成される大型情報表示板は、表示画面の周縁に位置している枠部分を１ｍｍ程度に狭くすることにより、数ｍ離れて見る場合に枠部分を目立たなくすることが望ましいとされているが、表示画面のサイズや大型情報表示板とユーザーとの距離によっては枠部分が目立ってしまう。また、特許文献２で提案されている技術は、表示部が電子ペーパーから形成されていない表示装置（例えば、液晶ディスプレイやプラズマディスプレイなど）のベゼルを目立たなくすることには応用することができない。
【０００７】
また、特許文献３で提案されている遊技機は、遊技盤の前面側に電子ペーパーを設けたものであり、表示装置のベゼルを目立たなくすることができるものではない。
【０００８】
本発明は、上記の状況に鑑み、ベゼルを目立たなくすることができる表示装置を提供することを目的とする。
【課題を解決するための手段】
【０００９】
上記目的を達成するために本発明に係る表示装置は、表示パネルと、前記表示パネルの周縁を覆うベゼルと、前記ベゼルの前面に設けられる電子ペーパーと、前記表示装置の背後の背景を撮影するカメラとを備え、前記電子ペーパーが、前記カメラの撮影によって得られた静止画像に基づく表示を行うようにする。
【００１０】
このような構成によると、ベゼルの前面に設けられる電子ペーパーが表示装置の背後の背景を表示するので、ユーザーからはベゼルが見えず、擬似的にベゼルをスケルトン化することができ、ベゼルを目立たなくすることができる。
【００１１】
また、上記構成の表示装置において、前記カメラを複数台備え、前記カメラの撮影によって得られた複数の静止画像を合成して合成静止画像を生成し、前記合成静止画像に対してトリミング処理を行い、前記トリミング処理によって抽出された画像を出力する制御部と、前記制御部から出力された画像に基づいて前記電子ペーパーの表示画像を書き換える電子ペーパー駆動回路とを備えるようにしてもよい。
【００１２】
また、前記トリミング処理のトリミング位置の変更が可能であることが望ましい。これにより、電子ペーパーの表示画像と表示装置の背景との一体感の向上を図ることができる。
【発明の効果】
【００１３】
本発明に係る表示装置によると、ベゼルの前面に設けられる電子ペーパーが表示装置の背後の背景を表示するので、ユーザーからはベゼルが見えず、擬似的にベゼルをスケルトン化することができ、ベゼルを目立たなくすることができる。
【図面の簡単な説明】
【００１４】
【図１】は、本発明に係る液晶テレビジョンの一例の正面斜視図である。
【図２】は、本発明に係る液晶テレビジョンの一例の背面斜視図である。
【図３】は、本発明に係る液晶テレビジョンの一例の概略構成を示すブロック図である。
【図４】は、本発明に係る液晶テレビジョンの一例のベゼル・スケルトン化に関する動作を示すフローチャートである。
【図５】は、トリミング処理を概念的に示す図である。
【発明を実施するための形態】
【００１５】
本発明の実施形態について図面を参照して以下に説明する。本発明に係る表示装置として、ここでは液晶テレビジョンを例に挙げて説明を行うが、本発明は、表示パネルと、その表示パネルの周縁を覆うベゼルとを備える表示装置（例えば、液晶モニタ、プラズマテレビジョン、プラズマモニタ等）全般に適用可能である。
【００１６】
本発明に係る液晶テレビジョンの一例である液晶テレビジョン１００の正面斜視図を図１に示し、液晶テレビジョン１００の背面斜視図を図２に示す。
【００１７】
液晶テレビジョン１００は、本体部１と、台座２と、台座２の中央に設けられ本体部１を支持しながら台座２に対して回転可能な回転台３とを備えている。液晶パネルの表示画面４が本体部１の正面側に位置するように液晶パネルが設けられ、液晶パネルの周縁を覆うベゼル５が本体部１の正面側に設けられ、ベゼル５の前面に電子ペーパー６が設けられている。また、第１カメラのレンズ７が本体部１の背面左側に位置するように第１カメラが設けられ、第２カメラのレンズ８が本体部１の背面右側に位置するように第２カメラが設けられている。
【００１８】
次に、液晶テレビジョン１００の概略構成を図３に示す。液晶テレビジョン１００の本体部１（図１及び図２参照）には、ＵＨＦ入力端子Ｔ１と、ＣＳ／ＢＳ−ＩＦ入力端子Ｔ２と、地上デジタル放送及び衛星デジタル放送の受信が可能な地上デジタル／ＢＳ／ＣＳチューナ１１（以下、チューナ１１という）と、信号処理部１２と、ＯＳＤ（On Screen Display）部１３と、画像出力部１４と、液晶表示部１５と、制御部１６と、レンズ７（図２参照）を有する第１カメラ１７と、レンズ８（図２参照）を有する第２カメラ１８と、電子ペーパー駆動回路１９と、電子ペーパー２０と、音声出力部２１と、スピーカ２２と、不揮発性メモリ２３と、受光部２４とが設けられている。また、台座２（図１及び図２参照）の内部には、回転台駆動機構２５が設けられている。
【００１９】
ＵＨＦ入力端子Ｔ１には、ＵＨＦ帯受信用アンテナ１０１によって受信された地上デジタル放送信号が入力される。一方、ＣＳ／ＢＳ−ＩＦ入力端子Ｔ２には、衛星デジタル放送受信用アンテナ１０２によって受信され、衛星デジタル放送受信用アンテナ１０２に付属するＬＮＢ（Low Noise Block Converter）によって周波数変換された衛星デジタル放送中間周波（ＣＳ／ＢＳ−ＩＦ）信号が入力される。
【００２０】
チューナ１１は、ＵＨＦ入力端子Ｔ１から地上デジタル放送信号を受け取り、ＣＳ／ＢＳ−ＩＦ入力端子Ｔ２から衛星デジタル放送中間周波（ＣＳ／ＢＳ−ＩＦ）信号を受け取り、デジタル放送信号の選局及び復調を行う。
【００２１】
信号処理部１２は、制御部１６からの指示に基づいて、チューナ１１から受け取った映像音声信号に対して各種信号処理を施した後、映像信号をＯＳＤ部１３に、音声信号を音声出力部２１に送る。
【００２２】
ＯＳＤ部１３は、信号処理部１２から受け取った映像信号と、制御部１６からの指示に基づいて生成したＯＳＤ画像データとを合成したり、上記合成処理を行わず信号処理部１２から受け取った映像信号をそのまま出力したり、上記合成処理を行わず制御部１６からの指示に基づいて生成したＯＳＤ画像データをそのまま出力したりする。
【００２３】
画像出力部１４は、ＯＳＤ部１３の出力信号をデジタル／アナログ変換して、液晶パネルを含む液晶表示部１５に供給する。また、音声出力部２１は、信号処理部１２から受け取った音声信号をデジタル／アナログ変換して、スピーカ２２に供給する。
【００２４】
受光部２４は、リモコン送信機（不図示）から送信されたリモコン赤外線信号を受光して電気信号に変換し、さらにその電気信号から操作コードを抽出して制御部１６に出力する。制御部１６は、不揮発性メモリ２３に格納されている制御プログラム及び各種設定（例えば、各操作コードと各機能との対応関係を示すデータテーブル等）と、受光部２４から受け取った操作コードと、液晶テレビジョン１００に設けられている操作キー群（不図示）から出力される信号によって定まる操作コードとに応じて、液晶テレビジョン１００の各部を制御する。なお、液晶テレビジョン１００に設けられている操作キー群（不図示）は、ベゼル５の前面以外の箇所（本体部１の上面、側面、背面、或いは下面や台座２）に設けるようにする。
【００２５】
回転台駆動機構２５は、回転台３（図１及び図２参照）を回転させるためのギア群（不図示）と、当該ギア群の駆動源となるステッピングモータ（不図示）とを備えている。制御部１６は、当該ステッピングモータにステッピングモータ制御信号を出力して、当該ステッピングモータを制御する。液晶テレビジョン１００の上方から見て回転台３が時計回り方向に回転すると、本体部１は液晶テレビジョン１００の正面から見て左方向に回動し、液晶テレビジョン１００の上方から見て回転台３が反時計回り方向に回転すると、本体部１は液晶テレビジョン１００の正面から見て右方向に回動する。
【００２６】
第１カメラ１７及び第２カメラ１８はそれぞれ、制御部１６によって制御され、液晶テレビジョン１００の背後を撮影する。
【００２７】
電子ペーパー駆動回路１９は、制御部１６から送られる画像データに基づいて、電子ペーパー２０の表示画像を書き換える。電子ペーパー２０は、表示画像の書き換えには電力が必要であるが、表示画像の保持には電力が不要であり、且つ、外光の反射により表示を行うという特徴を有している。さらに、電子ペーパー２０は、フルカラー表示を行う電子ペーパーである。フルカラー表示は例えばカラーフィルタを設けることにより実現することができる。
【００２８】
電子ペーパー２０には、例えば、マイクロカプセル型電気泳動方式表示デバイス、球状ツイストボール方式表示デバイス、エレクトロデポジション方式表示デバイスなどを用いることができる。マイクロカプセル型電気泳動方式表示デバイスは、透明な絶縁性液体と正に帯電した白色粒子と負に帯電された黒色粒子とを封入した透明樹脂のマイクロカプセルを２つの電極間に設けた構成である。球状ツイストボール方式電子ペーパーは、半球面ごとに色（白と黒）と帯電状態が異なるボールが一対の電極に挟まれた透明な絶縁性シートの中に回転可能な状態で埋め込まれた構成である。エレクトロデポジション方式表示デバイスは、透明電極とその対向電極との間に、銀イオンと酸化チタンなどの白色粒子とを含有するゲル状電解質が設けられた構成である。
【００２９】
以下、液晶テレビジョン１００のベゼル・スケルトン化に関する動作について図４に示すフローチャートを参照して説明する。
【００３０】
液晶テレビジョン１００は、電源がオンになると、図４に示すフローチャートの動作を開始し、電源がオフになると、図４に示すフローチャートの動作を終了する。
【００３１】
まず、ステップＳ１０において、制御部１６は、受光部２４や液晶テレビジョン１００に設けられている操作キー群（不図示）からの出力に基づいて、撮影指示の有無を判定する。撮影指示があれば（ステップＳ１０のＹＥＳ）、直ちにステップＳ３０に移行する。一方、撮影指示がなければ（ステップＳ１０のＮＯ）、ステップＳ２０に移行する。
【００３２】
ステップＳ２０において、制御部１６は、受光部２４や液晶テレビジョン１００に設けられている操作キー群（不図示）からの出力に基づいて、回転台３の回転指示の有無を判定する。回転台３の回転指示がなければ（ステップＳ２０のＮＯ）、ステップＳ１０に戻る。一方、回転台３の回転指示があれば（ステップＳ２０のＹＥＳ）、ステップＳ３０に移行する。
【００３３】
ステップＳ３０において、制御部１６は、第１カメラ１７及び第２カメラ１８に撮影を行わせる。
【００３４】
ステップＳ３０に続くステップＳ４０において、制御部１６は、第１カメラ１７の撮影によって得られた静止画像と第２カメラ１８の撮影によって得られた静止画像とを合成して、合成静止画像を生成する。
【００３５】
ステップＳ４０に続くステップＳ５０において、制御部１６は、合成静止画像に対してトリミング処理を行う。トリミング処理を概念的に示すと図５のようになる。トリミング処理では、合成静止画像３１に対してトリミング外枠３２及びトリミング内枠３３が設定され、トリミング外枠３２とトリミング内枠３３とによって囲まれた領域の画像３４を抽出する。
【００３６】
ステップＳ５０に続くステップＳ６０において、制御部１６は、受光部２４や液晶テレビジョン１００に設けられている操作キー群（不図示）からの出力に基づいて、修正指示の有無を判定する。修正指示がなければ（ステップＳ６０のＮＯ）、直ちにステップＳ８０に移行する。一方、修正指示があれば（ステップＳ６０のＹＥＳ）、ステップＳ７０に移行する。
【００３７】
ステップＳ７０において、制御部１６は、修正指示に従ってトリミング外枠３２及びトリミング内枠３３の位置を変更してトリミング処理を行う。修正指示は、例えば、リモコン送信機（不図示）の上下左右キーを利用して、トリミング外枠３２及びトリミング内枠３３の位置変更を指示する実施態様が考えられる。
【００３８】
ステップＳ８０において、制御部１６は、トリミング処理によって抽出された画像を電子ペーパー駆動回路１９に送り、電子ペーパー駆動回路１９は、制御部１６から送られてきた画像に基づいて電子ペーパー２０の表示画像を書き換える。
【００３９】
上述したベゼル・スケルトン化に関する動作によると、電子ペーパー２０が液晶テレビジョン１００の背後の背景を表示するので、ユーザーからはベゼル５が見えず、擬似的にベゼル５をスケルトン化することができ、ベゼル５を目立たなくすることができる。
【００４０】
また、電子ペーパー２０を用いているので、液晶テレビジョン１００の電源がオフ状態のときも、電子ペーパー２０が表示を保持できる。したがって、液晶テレビジョン１００の電源がオフ状態のときも、擬似的なベゼル５のスケルトン化を維持することができる。
【００４１】
また、上述した修正指示により、電子ペーパー２０の表示画像の位置調整が可能である。これにより、電子ペーパー２０の表示画像と液晶テレビジョン１００の背景との一体感の向上を図ることができる。
【００４２】
例えば液晶テレビジョン１００が壁際に設置された場合、液晶テレビジョン１００の背後が陰になってしまい、第１カメラ１７の撮影によって得られた静止画像と第２カメラ１８の撮影によって得られた静止画像とが暗くなり、電子ペーパー２０の表示画像と液晶テレビジョン１００の背景との一体感が乏しくなるおそれがある。
【００４３】
このため、制御部１６が、トリミング処理によって抽出された画像に対して、受光部２４や液晶テレビジョン１００に設けられている操作キー群（不図示）からの出力に基づく、輝度補正を行うようにすることが望ましい。なお、輝度補正のみならずコントラスト補正など各種画像処理が、リモコン送信機（不図示）や液晶テレビジョン１００に設けられている操作キー群（不図示）によって行えることがより望ましい。
【００４４】
また、第１カメラ１７の撮影によって得られた静止画像と第２カメラ１８の撮影によって得られた静止画像とが暗くなることを防止するために、液晶テレビジョン１００の背面に照明部（例えばＬＥＤ照明）を設け、撮影時に当該照明部を動作させてもよく、第１カメラ１７及び第２カメラ１８の撮像素子の感度が調整可能な構成とし、撮像素子の感度を上げて撮影を行ってもよい。
【００４５】
上述した実施形態では、２台のカメラを搭載した液晶テレビジョンについて説明を行ったが、カメラの台数に制限はなく、１台であっても、３台以上であっても構わない。当然の事ながら、カメラを１台設けた構成では、撮影画像の合成処理が不要となる。
【００４６】
上述した実施形態では、回転台を備えた液晶テレビジョンについて説明を行ったが、回転台を備えない構成であっても構わない。回転台を備えない構成である場合、図４に示すフローチャートのステップＳ２０を無くし、ステップＳ１０において撮影指示がなければステップＳ１０に戻るようにすればよい。
【符号の説明】
【００４７】
１  本体部
２  台座
３  回転台
４  液晶パネルの表示画面
５  ベゼル
６  電子ペーパー
７  第１カメラのレンズ
８  第２カメラのレンズ
１１  チューナ（地上デジタル／ＢＳ／ＣＳチューナ）
１２  信号処理部
１３  ＯＳＤ部
１４  画像出力部
１５  液晶表示部
１６  制御部
１７  第１カメラ
１８  第２カメラ
１９  電子ペーパー駆動回路
２０  電子ペーパー
２１  音声出力部
２２  スピーカ
２３  不揮発性メモリ
２４  受光部
２５  回転台駆動機構
３１  合成静止画像
３２  トリミング外枠
３３  トリミング内枠
３４  トリミング外枠とトリミング内枠とによって囲まれた領域の画像
１００  液晶テレビジョン
Ｔ１  ＵＨＦ入力端子
Ｔ２  ＣＳ／ＢＳ−ＩＦ入力端子
【図１】
2010185927.tif 000003
【図２】
2010185927.tif 000004
【図３】
2010185927.tif 000005
【図４】
2010185927.tif 000006
【図５】
2010185927.tif 000007